(57)【要約】【課題】着用時の模様の間隔、太さ、大きさを均一し、身体をスリムに見せる。【解決手段】本発明は、身体に密着して着用される部分に複数の模様７，８，９，１０，１１，３７，３８，３９，４０，４１，４２，４３，４４が配置されており、該各模様７，８，９，１０，１１，３７，３８，３９，４０，４１，４２，４３，４４は、前記身体の部分が太くなるに従って模様同士の間隔１２，１３，１４，１５，４５，４６，４７,４８，４９，５０が狭くなるように設けられていることを特徴とする。【選択図】図１
2007131962.tif 000002
【特許請求の範囲】
【請求項１】
身体に密着して着用される部分に複数の模様が配置されており、該各模様は、前記身体の部分が太くなるに従って模様同士の間隔が狭くなるように設けられていることを特徴とする身体に密着して着用される衣服。
【請求項２】
身体に密着して着用される部分に複数の模様が配置されており、該各模様は、前記身体の部分が太くなるに従って模様の大きさが小さくなるように設けられていることを特徴とする身体に密着して着用される衣服。
【請求項３】
身体に密着して着用される部分に複数の模様が配置されており、該各模様は、前記身体の部分が太くなるに従って細くなるように設けられていることを特徴とする身体に密着して着用される衣服。
【請求項４】
前記身体に密着して着用される衣服は、ストッキングである請求項１又は２に記載の身体に密着して着用される衣服。
【請求項５】
前記模様は縞模様である請求項１、２、４のいずれか１の請求項に記載の身体に密着して着用される衣服。
【請求項６】
前記模様は水玉模様である請求項１、２、４のいずれか１の請求項に記載の身体に密着して着用される衣服。
【発明の詳細な説明】
【技術分野】
【０００１】
本発明は、着用者の身体をスリムに見せることのできる身体に密着して着用される衣服に関する。
【背景技術】
【０００２】
衣服には体に密着させて着用するものも多く、例えば、ストッキング等はその代表的なものである。最近では、足の太さを気にしたり、或いは足をスリムに見せたりしたいという女性も増えており、ストッキングは、もはや単に衣服の一部であるということのみにとどまらず、女性の足を魅力的に見せるといったファッション性も要求されてきている。
【０００３】
従来のこの種の身体に密着して着用される衣服としては、例えば、図５に示されているように、爪先６２から脹脛の上方部分６５までの脚部８８に着用可能なように形成され、踝６３から脹脛の上方部分６５の間に太線と細線からなる二重線の直線模様６７，６８，６９，７０，７１，７２や、水玉模様７３，７４，７５，７６，７７，７８，７９，８０，８１，８２が配置されているストッキング６１が知られている。（出願人は、公知公用の技術に基づき発明したために、先行技術文献を知らない）。
【発明の開示】
【発明が解決しようとする課題】
【０００４】
しかしながら、従来の身体に密着して着用される衣服では、上記したストッキングのように、模様は、ストッキング６１を脚部８８に着用したときに生ずる伸張量を考慮して配置されておらず、模様の間隔８３，８４，８５，８６，８７や、直線模様６７，６８，６９，７０，７１，７２の太さ、大きさは均一に設定されている。そのため、ストッキング６１を着用したときに、図６に示されているように、伸張量が大きくなる脹脛６４に位置する模様の間隔８４，８５，８６は、伸張量が小さい踝６３に位置する模様の間隔８３や、脹脛の上方部分６５に位置する模様の間隔８７より広くなる。また、直線模様６８，６９，７０，７１も直線模様６７，７２より太くなる。
【０００５】
さらに、伸張量が大きくなる脹脛６４に配置された水玉模様７４，７５，７６，７９，８０，８１の大きさは、伸張量の小さい踝６３に配置された水玉模様７３，７８や、脹脛上部６５に配置された水玉模様７７，８２より大きくなる。
【０００６】
したがって、衣服着用時には、身体の部分が太くなるに従って模様の間隔が広くなったり、模様が太くなったり、大きくなったりして模様全体が均一性を失うため、足を太く見せてしまうといった問題点があった。
【０００７】
本発明は、上記した課題を解決すべくなされたものであり、着用時に模様の間隔や、太さ、大きさが均一となるよう模様を配置し、着用される身体の部分をスリムに見せることのできる身体に密着して着用される衣服を提供しようとするものである。
【課題を解決するための手段】
【０００８】
本発明は、身体に密着して着用される部分に複数の模様が配置されており、該各模様は、前記身体の部分が太くなるに従って模様同士の間隔が狭くなるように設けられていることを特徴とする。
【０００９】
また、本発明は、身体に密着して着用される部分に複数の模様が配置されており、該各模様は、前記身体の部分が太くなるに従って模様の大きさが小さくなるように設けられていることを特徴とする。
【００１０】
そして、本発明は、身体に密着して着用される部分に複数の模様が配置されており、該各模様は、前記身体の部分が太くなるに従って細くなるように設けられていることを特徴とする。
【００１１】
さらに、前記身体に密着して着用される衣服は、ストッキングであってもよい。
【００１２】
さらにまた、前記模様は縞模様であってもよく、また、前記模様は水玉模様であってもよい。
【発明の効果】
【００１３】
本発明によれば、着用時に、模様の間隔や太さ、大きさが均一になり、身体をスリムに見せることができる。
【発明を実施するための最良の形態】
【００１４】
以下、図面を参照しつつ本発明の実施の形態について説明する。なお、以下の説明では身体に密着して着用される衣服として、爪先から脹脛に渡って着用されるストッキングについて例示して説明する。ここで図１は縞模様付ストッキングの側面図、図２は縞模様付ストッキングの着用時の側面図、図３は水玉模様付ストッキングの側面図、図４は、水玉模様付ストッキングの着用時の側面図、図５は、模様付ストッキングの従来例を示す側面図、図６は模様付ストッキングの従来例を示す着用時の側面図である。
【００１５】
まず、図１，２を参照しつつ、本発明の第一の実施の形態である縞模様付のストッキングについて説明する。
【００１６】
本実施の形態に係るストッキング１は、爪先２から脹脛の上方部分５までの脚部１６に着用可能なように形成されており、このストッキング１には、太線と細線から成る二重線の直線模様７，８，９，１０，１１が複数平行に配置されて縞模様が形成されている。これらの直線模様７，８，９，１０，１１は、踝３から脹脛の上方部分５に渡って、脚部１６の後側から前側に向かって僅かに傾斜するように設けられ、直線模様７は踝３に位置し、直線模様１１は脹脛の上方部分５に位置し、直線模様８，９，１０はいずれも脹脛４に位置するように設けられている。そして、これらの各模様７，８，９，１０，１１は、いずれも脹脛４に位置する直線模様８と直線模様９との間隔１３及び直線模様９と直線模様１０との間隔１４が、踝３に位置する直線模様７と脹脛４に位置する直線模様８との間隔１２及び脹脛４に位置する直線模様１０と脹脛の上方部分５に位置する直線模様１１との間隔１５より狭くなるように設けられている。
【００１７】
また、脹脛４に位置する直線模様８，９，１０は、踝３に位置する直線模様７や、脹脛の上方部５に位置する１１より、細くなるように設けられている。
【００１８】
上記したように構成された縞模様付のストッキング１は、爪先２から脹脛の上方部分５に至る脚部１６に着用されると、伸張する。この時、図２に示すように、伸張量が最大となるのは、脹脛４であるが、脹脛４に位置する直線模様８，９，１０は、上記したように、予め伸張による広がりを考慮して、直線模様８と直線模様９との間隔１３及び直線模様９と直線模様１０との間隔１４が最小となるよう設定されているため、各直線模様７，８，９，１０，１１同士の間隔１２，１３，１４，１５は、それぞれ均一となる。また、直線模様８，９，１０も、予め伸張による広がりを考慮して、直線模様７，１１より、細くなるように設けられているため、直線模様７，８，９，１０，１１も、それぞれ均一になる。
したがって、上記した縞模様付のストッキング１を身体に着用したときに、脹脛４が太く見えることがなく、脚部１６をスリムに見せることができる。
【００１９】
次に、図３及び図４を参照しつつ、本発明の第二の実施形態である水玉模様付のストッキングについて説明する。
【００２０】
本実施の形態に係るストッキング３１は、爪先３２から脹脛の上方部分３５までの脚部５１に着用可能なように形成されており、このストッキング３１には、踝３３から脹脛の上方部分３５に渡って、同一種類の水玉模様３７，３８，３９，４０，４１，４２，４３，４４が配置されている。これらの水玉模様３７，３８，３９，４０，４１，４２，４３，４４の内、水玉模様３７，４１は踝３３に位置し、水玉模様３８，３９，４２、４３は脹脛３４に位置し、水玉模様４０，４４は脹脛の上方部分３５に位置するように設けられている。そして、水玉模様３７，３８，３９，４０，４１，４２，４３，４４は、脹脛３４に位置する水玉模様３８，３９、４２，４３の大きさが、踝３３に位置する水玉模様３７，４１や脹脛の上方部分３５に位置する水玉模様４０，４４より小さくなるように形成されている。また、水玉模様３７，３８，３９，４０，４１，４２，４３，４４は、脹脛３４に位置する水玉模様３８，３９，４２，４３の上下方向の間隔４６が、踝３３に位置する水玉模様３７，４１と脹脛３４に位置する水玉模様３８，４２との間の上下方向の間隔４５、及び脹脛の上方部分３５の水玉模様４０，４４と脹脛３４の水玉模様３９，４３との間の上下方向の間隔４７より狭くなるように設けられている。
【００２１】
さらに、脹脛３４に位置する水玉模様３８，３９，４２，４３の左右方向の間隔４８が
、踝３３に位置する水玉模様３７，４１との間隔４９、及び脹脛の上方部分３５の水玉模様４０，４４との間隔５０より狭くなるように設けられている。
【００２２】
上記したように構成された水玉模様付のストッキング３１は、爪先３２から脹脛の上方部分３５に至る脚部４８に着用されると、伸張する。この時、図４に示すように、伸張量が最大となるのは、脹脛３４であるが、脹脛３４に位置する水玉模様３８、３９、４２，４３は、上記したように、予め伸張による広がりを考慮して、大きさが水玉模様３７，４０，４１，４４より小さくなるように設定されているため、各水玉模様同士の上下方向の間隔４５，４６，４７は均一となる。また、水平方向の間隔４８，４９，５０も均一となる。したがって、上記した水玉模様付のストッキング３１を着用したときに、脹脛４が太く見えることがなく、脚部１６をスリムに見せることができる。
【００２３】
なお、上記した実施の形態においては、ストッキングについて説明したが、これは単なる例示に過ぎず、本発明は、パンティストッキング、靴下、スパッツ、ズボン等、身体に密着して着用される衣服全般に適用可能である。そして、本発明を、靴下やズボン等に使用した場合には、上記したストッキングの場合と比べて、着用される身体の部分の太さに差がないため、模様の間隔や大きさもストッキングの場合程、差を設ける必要はない。
【００２４】
また、模様の間隔、大きさ、位置についても任意に設定でき、さらに、模様は、上記した縞模模様や水玉模様に限定されるものではなく、斜線模様、網模様、ダイヤ模様等であってもよい。
【図面の簡単な説明】
【００２５】
【図１】本発明の実施の形態に係る縞模様付ストッキングの側面図である。
【図２】本発明の実施の形態に係る縞模様付ストッキング着用時の側面図である。
【図３】本発明の実施の形態に係る水玉模様付ストッキングの側面図である
【図４】本発明の実施の形態に係る水玉様付ストッキング着用時の側面図である。
【図５】従来例を示す模様付ストッキングの側面図である。
【図６】従来例を示す模様付ストッキングの着用時の側面図である。
【符号の説明】
【００２６】
１          縞模様付ストッキング
７〜１１    直線模様
１２〜１５  直線模様の間隔
３１        水玉模様付ストッキング
３７〜４４  水玉模様
４５〜５０  水玉模様の間隔
【図１】
2007131962.tif 000003
【図２】
2007131962.tif 000004
【図３】
2007131962.tif 000005
【図４】
2007131962.tif 000006
【図５】
2007131962.tif 000007
【図６】
2007131962.tif 000008